(57)【要約】【課題】箱の中仕切りに、組立作業の容易性、組み立てた状態での形状の安定性、仕切られた小部屋の形状の高自由度性を併せ持たせる。【解決手段】中仕切り３０は、上仕切り板３２と下仕切り板３３を、横折れ線３１で連設し、上下仕切り板３２、３３に、上下縦折れ線３２ａ、３２ｂ、３３ａ、３３ｂが互い違いに並んだ組を二組、組が互いに上下反転した状態に配列することで形成される。上下仕切り板３２、３３を重ね合わせ、縦折れ線３２ａ、３２ｂ、３３ａ、３３ｂで直角に折り曲げると、小部屋が５つ並んだ状態に簡単に組み立てられる。折り曲げ角度が小さいため反発力が少なく、組み立て形状が安定し、縦折れ線３２ａ、３２ｂ、３３ａ、３３ｂ間の距離を適宜調節することで、小部屋の形状を変更可能である。差込片３２ｄ、３３ｄは、箱の隙間にスムーズに差し込まれるため、収納物を入れた後に中仕切り３０で小分けするのが容易である。【選択図】図８
2008114906.tif 000002
【特許請求の範囲】
【請求項１】
ほぼ相似形方形の上仕切り板１２と下仕切り板１３とを、横折れ線１１を介して連設し、上仕切り板１２に、前記横折れ線１１と直交し、横折れ線１１方向に並列する一対の上縦折れ線１２ａ、１２ｂを設け、下仕切り板１３に、前記横折れ線１１と直交し、横折れ線１１方向に並列する一対の下縦折れ線１３ａ、１３ｂを設け、これら上下縦折れ線１２ａ、１２ｂ、１３ａ、１３ｂを、一対の上縦折れ線１２ａ、１２ｂ間の距離と、一対の下折れ線１３ａ、１３ｂ間の距離とが等しくなるように、かつ横折れ線１１方向に上縦折れ線１２ａ、１２ｂと下縦折れ線１３ａ、１３ｂとが互い違いに並ぶように配列し、横折れ線１１上に、外側上縦折れ線１２ａと横折れ線１１との交点から外側下縦折れ線１３ａと横折れ線１１との交点にかけて切れ込み１１ａを設けて形成され、
前記横折れ線１１を折り曲げて上仕切り板１２と下仕切り板１３とを重ね合わせ、外側上下縦折れ線１２ａ、１３ａを谷折りに、内側上下縦折れ線１２ｂ、１３ｂを山折りに、各縦折れ線１２ａ、１２ｂ、１３ａ、１３ｂを境に板面がほぼ直角をなすように上下仕切り板１２、１３を折り曲げることにより、上下仕切り板１２、１３により仕切られた小部屋が並列した状態に組み立てられる中仕切り。
【請求項２】
ほぼ相似形方形の上仕切り板２２、３２と下仕切り板２３、３３とを、横折れ線２１、３１を介して連設し、上仕切り板２２、３２に、前記横折れ線２１、３１と直交し、横折れ線２１、３１方向に複数の対をなして並列する上縦折れ線２２ａ、２２ｂ、３２ａ、３２ｂを設け、下仕切り板２３、３３に、前記横折れ線２１、３１と直交し、横折れ線２１、３１方向に複数の対をなして並列する下縦折れ線２３ａ、２３ｂ、３３ａ、３３ｂを設け、隣接する一対の上縦折れ線２２ａ、２２ｂ、３２ａ、３２ｂと、これと横折れ線２１、３１を挟んで向かい合う隣接する一対の下縦折れ線２３ａ、２３ｂ、３３ａ、３３ｂとが組をなすものとし、これら各組における上下縦折れ線２２ａ、２２ｂ、２３ａ、２３ｂ、３２ａ、３２ｂ、３３ａ、３３ｂを、対の上縦折れ線２２ａ、２２ｂ、３２ａ、３２ｂ間の距離と、対の下縦折れ線２３ａ、２３ｂ、３３ａ、３３ｂ間の距離とが等しくなるように、かつ横折れ線２１、３１方向に上縦折れ線２２ａ、２２ｂ、３２ａ、３２ｂと下縦折れ線２３ａ、２３ｂ、３３ａ、３３ｂとが互い違いに並ぶように配列し、さらにこれら対の上下縦折れ線２２ａ、２２ｂ、２３ａ、２３ｂ、３２ａ、３２ｂ、３３ａ、３３ｂからなる複数の組が、横折れ線２１、３１方向に、横折れ線２１、３１を中心に交互に上下反転して並ぶように配列し、横折れ線２１、３１上に、各組の外側上縦折れ線２２ａ、３２ａと横折れ線２１、３１の交点から外側下縦折れ線２３ａ、３３ａと横折れ線２１、３１との交点にかけて切れ込み２１ａ、３１ａを設けて形成され、
前記横折れ線２１、３１を折り曲げて上仕切り板２２、３２と下仕切り板２３、３３とを重ね合わせ、各組における外側上下縦折れ線２２ａ、２３ａ、３２ａ、３３ａを谷折りに、内側上下縦折れ線２２ｂ、２３ｂ、３２ｂ、３３ｂを山折りに、各縦折れ線２２ａ、２２ｂ、２３ａ、２３ｂ、３２ａ、３２ｂ、３３ａ、３３ｂを境に板面がほぼ直角をなすように上下仕切り板２２、２３、３２、３３を折り曲げることにより上下仕切り板２２、２３、３２、３３により仕切られた小部屋が並列した状態に組み立てられる中仕切り。
【請求項３】
上記上仕切り板２２、３２の横折れ線２１、３１側縁部または上縁部に、上記下仕切り板２３、３３の横折れ線２１、３１側縁部または下縁部に、それぞれ組み立て状態において対向して並列するように複数の切れ込み２２ｅ、２３ｅ、３２ｃ、３３ｃを設け、この切れ込み２２ｅ、２３ｅ、３２ｃ、３３ｃ間に仕切り片２４、３４を掛け渡して差し込むことにより、上記各小部屋を、その並列方向とほぼ直交する方向に分割した請求項１または２に記載の中仕切り。
【請求項４】
上記上仕切り板３２の上縁部および下仕切り板３３の下縁部に、縦折れ線３２ａ、３２ｂ、３３ａ、３３ｂとほぼ平行に延びる、隙間に差し込み容易な差込片３２ｄ、３３ｄを所定の間隔をおいて並列して連設した請求項１から３のいずれかに記載の中仕切り。
【請求項５】
上記仕切り片３４の一側縁に、所定の間隔をおいて切り欠き部３４ａを並列して設けた請求項３に記載の中仕切り。
【発明の詳細な説明】
【技術分野】
【０００１】
この発明は、箱内部の収納空間を、複数の小部屋に仕切るための中仕切りに関する。
【背景技術】
【０００２】
箱内部の収納空間を、複数の小部屋に仕切り、箱に詰められる缶製品などの収納物を、これら小部屋ごとに小分けする箱の中仕切りが従来から用いられている。
これら中仕切りとしては、段ボール、厚紙などの素材からなる一枚のシート体を折り曲げて組み立てる方式のものが、複数枚のシート体を格子状等に組み合わせる方式に比べて組み立てが容易であるため多く用いられており、これに関して多くの発明がなされている。
【０００３】
たとえば、特許文献１には、上仕切り板と下仕切り板とを、横折れ線を介して連設し、上記上下仕切り板をそれぞれ等分する横折れ線と直交する中央縦折れ線を上下仕切り板上に設け、上仕切り板に、前記横折れ線と直交する方向に中央縦折れ線をまたいで並列する一対の上縦折れ線を、下仕切り板に、前記横折れ線と直交する方向に中央縦折れ線をまたいで並列する一対の下縦折れ線をそれぞれ設け、横折れ線上の外側上縦折れ線と横折れ線の交点から外側下縦折れ線と横折れ線との交点にかけて切れ込みを設けて形成された中仕切りが開示されている(特許文献１、図２参照)。
【０００４】
この中仕切りは、横折れ線を折り曲げて上下仕切り板を重ね合わせ、中央縦折れ線を山折りに、折れ線を境に板面が折り重なるように１８０度折り曲げ、上下縦折れ線を谷折りに、折れ線を境に板面が直角をなすように９０度折り曲げることで組み立てられ、箱に入れると、対向する上下仕切り板で四方を囲まれた一の小部屋と、四方に延長された重なり合う上下仕切り板と箱の壁面により囲まれた、上記一の小部屋の四方にそれぞれ隣接する四つの小部屋とが形成される(特許文献１、図５参照)。
この中仕切りの場合、上記したように折れ線の折り曲げが複雑であって折り曲げにくく、組み立て作業に手間がかかるという問題がある。
また、中央縦折れ線を境に板面が折り重なるように、１８０度折り曲げているため、中仕切りの素材の復元弾性により大きな反発力が生じ、組み立て状態が崩れやすく、形状の安定性に欠ける。
そのため、組み立てた状態を維持するために、手で押さえながら、箱への収納等を行わねばならず、中仕切りの箱への収納作業や、その前後の収納物を箱に詰める作業に手間がかかる問題がある。
【０００５】
また、特許文献２には、上仕切り板と下仕切り板とを、横折れ線を介して連設し、横折れ線上に切れ込みを設け、この切れ込みの両端を通る両端縦折れ線および中央を通る中央縦折れ線をそれぞれ横折れ線に直交させて上下仕切り板に設けて形成された中仕切りが開示されている(特許文献２、図１参照)。
【０００６】
この中仕切りは、横折れ線を折り曲げて上下仕切り板を重ね合わせ、中央縦折れ線を山折りに、両端縦折れ線を谷折りにすることで組み立てられ、縦折れ線を境に板面が直角をなすように９０度折り曲げると、対向する上下仕切り板で四方を囲まれた小部屋と、その対角線上から外側へと延長される重なり合う上下仕切り板と箱の壁面により囲まれた小部屋とが形成され(特許文献２、図３、図４参照)、中央縦折れ線を、折れ線を境に板面が折り重なるように１８０度折り曲げると、重なり合う上下仕切り板が四方に延びる十字型に組み立てられる(特許文献２、図２参照)。
この中仕切りの場合、特許文献１の場合に比べると、組立作業は簡単ではあるが、十字型に組み立てた状態においては、特許文献１の場合と同様に、中央縦折れ線を境に板面が折り重なるように、１８０度折り曲げているため、反発力が大きく、形状の安定性に欠ける問題がある。
また、対向する上下仕切り板で四方を囲まれた小部屋を形成した状態に組み立てた場合、この小部屋は、平面視正方形以外に形状選択の余地がなく、形状の自由度が少なく、様々な形の箱に対応するのが困難であった。
【特許文献１】実開昭５５−８４２５５号公報
【特許文献２】実開昭６３−１７７２２２号公報
【発明の開示】
【発明が解決しようとする課題】
【０００７】
そこで、この発明は、箱の中仕切りにおいて、組立作業の容易性と、組み立てた状態での形状の安定性と、仕切られた小部屋の形状の高自由度性を併せ持たせることをその課題とする。
【課題を解決するための手段】
【０００８】
上記した課題を解決するため、この発明にかかる中仕切りを、ほぼ相似形方形の上仕切り板と下仕切り板とを、横折れ線を介して連設し、上仕切り板に、前記横折れ線と直交し、横折れ線方向に並列する一対の上縦折れ線を設け、下仕切り板に、前記横折れ線と直交し、横折れ線方向に並列する一対の下縦折れ線を設け、これら上下縦折れ線を、一対の上縦折れ線間の距離と、一対の下折れ線間の距離とが等しくなるように、かつ横折れ線方向に上縦折れ線と下縦折れ線とが互い違いに並ぶように配列し、横折れ線上に、外側上縦折れ線と横折れ線との交点から外側下縦折れ線と横折れ線の交点にかけて切れ込みを設けて形成したのである。
そして、横折れ線を折り曲げて上仕切り板と下仕切り板とを重ね合わせ、外側上下縦折れ線を谷折りに、内側上下縦折れ線を山折りに、各縦折れ線を境に板面がほぼ直角をなすように上下仕切り板を折り曲げることにより上下仕切り板により仕切られた小部屋が並列した状態に組み立てられることとしたのである。
【０００９】
ここで、内側上縦折れ線とは、対の下縦折れ線に挟まれる上縦折れ線をいい、同様に、内側下縦折れ線とは、対の上縦折れ線に挟まれる下縦折れ線をいう。
また、外側上縦折れ線とは、対の下縦折れ線に挟まれない上縦折れ線をいい、外側下縦折れ線とは、対の上縦折れ線に挟まれない下縦折れ線をいう。
【００１０】
このようにすると、特許文献１の中仕切りのように、折れ線の折り曲げが複雑になることがないため、組み立て作業が容易である。
また、組み立て状態において、各縦折れ線を境に、板面は約９０度折り曲げられているにすぎず、従来のように折り重なった状態、すなわち約１８０度折り曲げる場合に比べて、折り曲げ角度が少ない。
そのため、中仕切り素材の復元弾性に伴う反発力を低減させることができ、組み立て状態における形状を安定させることができる。
このようにすると、箱に収納物を詰める作業の際に、中仕切りを形が崩れないように手で押さえる必要がないため、作業性が向上する。
さらに、上縦折れ線同士および下縦折れ線同士の間の距離と、隣接する上縦折れ線と下縦折れ線との間の距離との比率を調整することで、上下仕切り板により仕切られる空間の形状を、長辺と短辺との比率が様々な長方形に自由に形成可能であるため、形状の自由度が大幅に向上し、様々な形状の箱に対応可能である。
【００１１】
また、小部屋の並びの数をさらに増やすため、ほぼ相似形方形の上仕切り板と下仕切り板とを、横折れ線を介して連設し、上仕切り板に、前記横折れ線と直交し、横折れ線方向に複数の対をなして並列する上縦折れ線を設け、下仕切り板に、前記横折れ線と直交し、横折れ線方向に複数の対をなして並列する下縦折れ線を設け、隣接する一対の上縦折れ線と、これと横折れ線を挟んで向かい合う隣接する一対の下縦折れ線とが組をなすものとし、これら各組における上下縦折れ線を、対の上縦折れ線間の距離と、対の下縦折れ線間の距離とが等しくなるように、かつ横折れ線方向に上縦折れ線と下縦折れ線とが互い違いに並ぶように配列し、さらにこれら対の上下縦折れ線からなる複数の組が、横折れ線方向に、横折れ線を中心に交互に上下反転して並ぶように配列し、上下反転して交互に並ぶように配列し、横折れ線上に、各組の外側上縦折れ線と横折れ線との交点から外側下縦折れ線と横折れ線との交点にかけて切れ込みを設けて形成したのである。
そして、横折れ線を折り曲げて上仕切り板と下仕切り板とを重ね合わせ、各組における外側上下縦折れ線を谷折りに、内側上下縦折れ線を山折りに、各縦折れ線を境に板面がほぼ直角をなすように上下仕切り板を折り曲げることにより、上下仕切り板により仕切られた小部屋が並列した状態に組み立てられることとしたのである。
【００１２】
ここで、内側上縦折れ線とは、各組内において、対の下縦折れ線に挟まれる上縦折れ線をいい、同様に、内側下縦折れ線とは、各組内において、対の上縦折れ線に挟まれる下縦折れ線をいう。
また、外側上縦折れ線とは、各組内において、対の下縦折れ線に挟まれない上縦折れ線をいい、外側下縦折れ線とは、各組内において、対の上縦折れ線に挟まれない下縦折れ線をいう。
【００１３】
この場合も、上述した場合と同様に、組み立て作業が容易であり、組み立て状態における形状が安定し、小部屋の形状の自由度が向上する。
とくに、この中仕切りを組み立てると、小部屋が自動的に一方向に多数並列するため、一層組立作業が容易である。
【００１４】
また、上仕切り板の横折れ線側縁部または上縁部に、下仕切り板の横折れ線側縁部または下縁部に、それぞれ組み立て状態において対向して並列するように複数の切れ込みを設け、この切れ込み間に仕切り片を掛け渡して差し込むことにより、各小部屋をその並列方向とほぼ直交する方向に分割すると、箱の収納空間を一方向のみならず、二方向に仕切ることができ、更なる小分けが可能となる。
【００１５】
さらに、上仕切り板の上縁部および下仕切り板の下縁部に、縦折れ線とほぼ平行に延びる、隙間に差し込み容易な差込片を、所定の間隔をおいて並列して連設すると、箱に先に収納物を詰め、後から箱の隙間に差込片を差し込むことで、中仕切りを収納状態の箱にスムーズに差し込むことが可能となる。
【００１６】
また、仕切り片の一側縁に、所定の間隔をおいて切り欠き部を並列して設けると、箱に先に収納物を詰め、後から当該側縁側から差し込む際に、収納物と仕切り片との干渉が切り欠き部により抑制されるため、スムーズに差し込むことが可能となる。
【発明の効果】
【００１７】
上仕切り板と下仕切り板を、横折れ線で連設し、上下仕切り板に横折れ線と直交する方向に並列する対の上下縦折れ線を設け、これらが交互に並ぶようにし、上下仕切り板を横折れ線で折り重ね、外側縦折れ線を谷折りに、内側縦折れ線を山折りに９０度折り曲げることにより組み立てる構成を採用したため、組立作業が簡単であり、折り曲げ角度が小さくて組み立てた状態での形状が安定し、折れ線間の距離を調節することで小部屋の形状の自由度を高めることができる。
【発明を実施するための最良の形態】
【００１８】
以下、図面を参照しつつ、この発明の実施の形態について説明する。
【００１９】
図１から図３に、第一の実施形態にかかる中仕切り１０を、図４から図７に第二の実施形態にかかる中仕切り２０を、図８から図１２に第三の実施形態にかかる中仕切り３０をそれぞれ示す。
これら中仕切り１０、２０、３０は、段ボールシートを打ち抜いて製造されたシート体である。
【００２０】
図１のように、第一の実施形態の中仕切り１０は、展開状態において、全体としてほぼ方形をなし、その四隅は角取りされ、その内部には、上下縁と平行な横折れ線１１が設けられており、これにより、相似形方形の上仕切り板１２と、下仕切り板１３とに等分されている。
【００２１】
また、上下仕切り板１２、１３には、横折れ線１１と直交する、それぞれ一対の上縦折れ線１２ａ、１２ｂと下縦折れ線１３ａ、１３ｂとが設けられており、これら上下縦折れ線１２ａ、１２ｂ、１３ａ、１３ｂ上には、折り曲げを容易とし、折り曲げた状態での形状を安定させるために、断続的に切れ込みが施されている。
ここで、図示のように、上縦折れ線１２ａ、１２ｂと、下縦折れ線１３ａ、１３ｂとは、横折れ線１１の方向に等間隔をおいて、図中左から順に、外側上縦折れ線１２ａ、内側下縦折れ線１３ｂ、内側上縦折れ線１２ｂ、外側下縦折れ線１３ａと互い違いに並んでおり、外側上縦折れ線１２ａと中仕切り１０左縁および外側下縦折れ線１３ａと中仕切り１０右縁との間隔も、上記した隣接する上下縦折れ線１２ａ、１２ｂ、１３ａ、１３ｂ間の間隔と等しくなっている。
また、横折れ線１１上の外側上縦折れ線１２ａとの交点から外側下縦折れ線１３ａとの交点にかけては、切れ込み１１ａが連通している。
【００２２】
さらに、下仕切り板１３上には、内側上縦折れ線１２ｂと横折れ線１１の交点を中心とする半円孔１３ｃが、上仕切り板１２上には、内側下縦折れ線１３ｂと横折れ線１１の交点を中心とする半円孔１２ｃが、それぞれ設けられている。
【００２３】
この中仕切り１０は、まず図２のように、横折れ線１１を折り曲げて、上下仕切り板１２、１３を重ね合わせ、つぎに、上下仕切り板１２、１３が折り重なった状態から、図３のように、外側上下縦折れ線１２ａ、１３ａを谷折りに、内側上下縦折れ線１２ｂ、１３ｂを山折りに、それぞれ折れ線１２ａ、１２ｂ、１３ａ、１３ｂを境に板面がほぼ直角をなすように折り曲げることで容易に組み立て可能である。
このように、上下縦折れ線１２ａ、１２ｂ、１３ａ、１３ｂにおける折り曲げ角度は、約９０度と比較的小さく、そのため、段ボール素材の復元弾性に伴う反発力が小さく、折れ線１２ａ、１２ｂ、１３ａ、１３ｂ上に切れ込みが施されていることもあいまって、組み立て状態における形状安定性が非常に優れている。
また、このとき、半円孔１２ｃを通じて下仕切り板１３を、半円孔１３ｃを通じて上仕切り板１２を、それぞれ両側からつまみ、上下仕切り板１２、１３を、折りたたんだ状態から、離反する方向に開くことで、組み立てをほぼ一挙動で行うことが可能である。
【００２４】
図３のように、こうして組み立てられた中仕切り１０には、対の上縦折れ線１２ａ、１２ｂ間の上仕切り板１２の板面と、対の下縦折れ線１３ａ、１３ｂ間の下仕切り板１３の板面とが対向し、また、これら板面と直交する方向において、外側上縦折れ線１２ａと内側下縦折れ線１３ｂとの間の下仕切り板１３の板面と、外側下縦折れ線１３ａと内側上縦折れ線１２ｂとの間の上仕切り板１２の板面とが対向し、これら板面により四方が囲まれることで小部屋αが形成される。
ここで、上述したように、上縦折れ線１２ａ、１２ｂと、下縦折れ線１３ａ、１３ｂとは、横折れ線１１の方向に等間隔をおいて互い違いになるように配列されているため、対の上縦折れ線１２ａ、１２ｂ間の距離と、対の下縦折れ線１３ａ、１３ｂ間の距離とは等しく、外側上縦折れ線１２ａと内側下縦折れ線１３ｂとの間の距離と、内側上縦折れ線１２ｂと外側下縦折れ線１３ａとの間の距離とは等しく、かつ上縦折れ線１２ａ、１２ｂ間の距離と、外側上縦折れ線１２ａと内側下縦折れ線１３ｂとの間の距離とは、２対１の比率をなしており、それゆえ、小部屋αは、長辺と短辺の比率が２対１の平面視長方形となる。
【００２５】
また、図示のように、中仕切り１０の組み立て状態において、外側上縦折れ線１２ａと上仕切り板１２左縁との間の上仕切り板１２の板面全部と、内側下縦折れ線１３ｂと下仕切り板１３左縁との間の下仕切り板１３の板面一部とは重なり合い、外側下縦折れ線１３ａと下仕切り板１３右縁との間の下仕切り板１３の板面全部と、内側上縦折れ線１２ｂと上仕切り板１２右縁との間の上仕切り板１２の板面一部とは重なり合い、それぞれ重なり合った部分が、上述した小部屋αの対向する短辺から外側へと延長され、その延長方向長さは、上述した寸法関係から、小部屋αの短辺の長さと等しくなっている。
【００２６】
図示のように、この中仕切り１０を、間口が小部屋αの短辺の３倍であって、奥行きが小部屋αの長辺と等しい箱Ｂに入れると、小部屋αの両側に、小部屋αの対向する短辺から延長される重なり合う上下仕切り板１２、１３と、小部屋αの長辺側板面と、箱Ｂの壁面とに囲まれることで、ほぼ相似形の小部屋βが新たに形成される。
こうして、箱Ｂの間口方向に相似形の小部屋α、βが３つ並列することとなる。
よって、この箱にスプレー缶Ｃを間口方向に３列、奥行き方向に２列、合計６つ詰めた場合に、それぞれの小部屋α、βに、奥行き方向に並んだ２つずつが均等に小分けされる。
このように、箱Ｂに中仕切り１０を入れる際には、上述したように、組み立て状態での中仕切り１０の形状が安定しているため、形が崩れないように手で押さえるなどの手間を要さず、作業性が良好である。
【００２７】
図４のように、第二の実施形態の中仕切り２０は、展開状態において、上下縁の一部が突出したほぼ方形をなし、その四隅は角取りされ、また、その内部には、上下縁とほぼ平行な横折れ線２１が設けられており、これにより、ほぼ相似形方形の上仕切り板２２と、下仕切り板２３とに等分されている。
【００２８】
また、上下仕切り板２２、２３には、横折れ線２１と直交する、二対の上縦折れ線２２ａ、２２ｂと下縦折れ線２３ａ、２３ｂとがそれぞれ設けられ、これら上下縦折れ線２２ａ、２２ｂ、２３ａ、２３ｂ上には、折り曲げを容易とし、折り曲げた状態での形状を安定させるために、断続的に切れ込みが施されている。
ここで、図示のように、各二対の上縦折れ線２２ａ、２２ｂと、下縦折れ線２３ａ、２３ｂとは、隣接する対の外側上縦折れ線２２ａ、内側上縦折れ線２２ｂと、横折れ線２１を挟んでこれとほぼ向かい合う隣接する対の外側下縦折れ線２３ａ、内側下縦折れ線２３ｂとがそれぞれ組をなして左右の２組が形成される。
そして、左組において、上下縦折れ線２２ａ、２２ｂ、２３ａ、２３ｂは、横折れ線２１方向に等間隔をおいて、左から順に、外側上縦折れ線２２ａ、内側下縦折れ線２３ｂ、内側上縦折れ線２２ｂ、外側下縦折れ線２３ａ、と互い違いに並び、右組において、上下縦折れ線２２ａ、２２ｂ、２３ａ、２３ｂは、横折れ線２１方向に等間隔をおいて、右から順に、外側上縦折れ線２２ａ、内側下縦折れ線２３ｂ、内側上縦折れ線２２ｂ、外側下縦折れ線２３ａ、と互い違いに並んでおり、左組と右組とが上下反転した状態で配列されている。
また、左組の外側下縦折れ線２３ａと、右組の外側下縦折れ線２３ａとの間隔、および左組の外側上縦折れ線２２ａと中仕切り２０左縁との間隔、および右組の外側上縦折れ線２２ａと中仕切り２０右縁との間隔は、いずれも上記した隣接する上下縦折れ線２２ａ、２２ｂ、２３ａ、２３ｂ間の間隔と等しくなっている。
また、各組において、横折れ線２１上の外側上縦折れ線２２ａとの交点から外側下縦折れ線２３ａとの交点にかけては、切れ込み２１ａが連通している。
【００２９】
さらに、下仕切り板２３上には、各組の内側上縦折れ線２２ｂと横折れ線２１の交点を中心とする半円孔２３ｃが、上仕切り板２２上には、各組の内側下縦折れ線２３ｂと横折れ線２１の交点を中心とする半円孔２２ｃが、それぞれ設けられている。
【００３０】
また、上仕切り板２２上縁部の、各組の上縦折れ線２２ａ、２２ｂ間に挟まれた部分は外方に突出して台形状の突出部２２ｄを形成し、この突出部２２ｄ先端中央から内部にかけて、上縦折れ線２２ａ、２２ｂとほぼ平行に延びるＶ字状の切れ込み２２ｅが設けられている。
同様に、下仕切り板２３下縁部の、各組の下縦折れ線２３ａ、２３ｂ間に挟まれた部分は、上記突出部２２ｄと相似形の２つの突出部２３ｄを形成し、これに、上記切れ込み２２ｅと相似形の切れ込み２３ｅが設けられている。
【００３１】
この中仕切り２０は、まず図５のように、横折れ線２１を折り曲げて、上下仕切り板２２、２３を重ね合わせ、つぎに、上下仕切り板２２、２３が折り重なった状態から、図６のように、各組の外側上下縦折れ線２２ａ、２３ａを谷折りに、内側上下縦折れ線２２ｂ、２３ｂを山折りに、それぞれ折れ線を境に板面がほぼ直角をなすように折り曲げることで容易に組み立て可能である。
ここで、第一の実施形態と同様に、上下縦折れ線２２ａ、２２ｂ、２３ａ、２３ｂにおける折り曲げ角度は、約９０度と小さく、段ボール素材の復元弾性に伴う反発力が小さく、切れ込みも施されているため、組み立て状態における形状安定性に優れている。
また、第一の実施形態と同様に、半円孔２２ｃ、２３ｃがあることにより、折りたたんだ状態から広げて組み立てるのが容易である。
【００３２】
図６のように、こうして組み立てられた中仕切り２０には、各組における対の上縦折れ線２２ａ、２２ｂ間の上仕切り板２２の板面と、対の下縦折れ線２３ａ、２３ｂ間の下仕切り板２３の板面とが対向し、外側上縦折れ線２２ａと内側下縦折れ線２３ｂとの間の下仕切り板２３の板面と、外側下縦折れ線２３ａと内側上縦折れ線２２ｂとの間の上仕切り板２２の板面とが対向して四方が囲まれた小部屋αが各組に１つずつ、計２つ形成される。
ここで、上述した寸法関係から、小部屋αは、長辺と短辺の比率が２対１の平面視長方形となる。
【００３３】
また、図６のように、中仕切り２０の組み立て状態において、各組における外側上縦折れ線２２ａと上仕切り板２２の右縁または左縁との間の上仕切り板２２の板面全部と、内側下縦折れ線２３ｂと下仕切り板２３の右縁または左縁との間の下仕切り板２３の板面一部とは重なり合い、それぞれ重なり合った部分が、各組の小部屋αの対向する一方短辺(図中前方短辺)から外側へ延長され、その延長方向長さは、小部屋αの短辺の長さと等しくなっている。
また、一方組の小部屋αと他方組の小部屋αとの間は、上下仕切り板２２、２３が完全に重なり合って、これが他方短辺(図中後方短辺)から内側へと延長して連絡されており、その延長方向長さは、小部屋αの短辺の長さと等しくなっている。
【００３４】
そのため、図７のように、この中仕切り２０を、間口が小部屋αの短辺の５倍であって、奥行きが小部屋αの長辺と等しい箱Ｂに入れると、各小部屋αの外側に、小部屋αの前方短辺から外側に延長される重なり合う上下仕切り板２２、２３と、各小部屋αの外側長辺板面と、箱Ｂの壁面とに囲まれ、小部屋αとほぼ相似形の小部屋βがそれぞれ隣接して形成される。
同様に、小部屋αの後方短辺を連絡する重なり合う上下仕切り板２２、２３と、小部屋αの内側長辺板面と、箱Ｂの壁面とに囲まれることで、小部屋αの間にほぼ相似形の小部屋βが形成される。
こうして、箱Ｂの間口方向に相似形の小部屋α、βが、合計５つ並列する。
よって、この箱にスプレー缶Ｃを、間口方向に５列、奥行き方向に２列、合計１０個詰めた場合に、それぞれの小部屋α、βに、奥行き方向に並んだ２つずつが均等に小分けされる。
箱Ｂに中仕切り２０を入れる際には、上述したように、組み立て状態での中仕切り２０の形状が安定しているため、形が崩れないように手で押さえるなどの手間を要さず、作業性が良好である。
【００３５】
また、図６および図７のように、中仕切り２０の組み立て状態において、突出部２２ｄ、２３ｄおよび切れ込み２２ｅ、２３ｅは対向した状態で並列している。
この突出部２２ｄ、２３ｄ間には、図６および図７のように、箱Ｂの間口とほぼ同じ長さの仕切り片２４をその上方から掛け渡す。
仕切り片２４の下縁部には、Ｖ字状の切れ込み２４ａが一側から他側まで、小部屋の短辺と等しい間隔をおいて設けられており、これと切れ込み２２ｅ、２３ｅを合わせて差し込むと、仕切り片２４により、各小部屋α、βは、箱Ｂ奥行き方向にさらに２等分される。
こうして、奥行き方向にも仕切って、スプレー缶Ｃを１個ずつに小分けすることができる。
【００３６】
図８のように、第三の実施形態の中仕切り３０は、展開状態において、全体としてほぼ方形をなし、その四隅は角取りされ、その上下縁の一部には、後述する差込片が３２ｄ、３３ｄが連設されており、さらに、その内部には、上下縁とほぼ平行な横折れ線３１が設けられており、これにより、ほぼ相似形方形の上仕切り板３２と、下仕切り板３３とにほぼ等分されている。
ここで、上下縦折れ線３２ａ、３２ｂ、３３ａ、３３ｂの数、位置関係、中仕切り３０の組み立て方法等は、第二の実施形態とほぼ同様であるため、説明を省略し、以下、第二の実施形態と異なる部分について主に述べる。
【００３７】
図８のように、中仕切り３０において、第二の実施形態の半円孔２２ｃ、２３ｃと同じ位置には、ほぼＶ字型の切れ込み３２ｃ、３３ｃが設けられている。
また、上仕切り板３２の上縁において、第二の実施形態の突出部２２ｄとほぼ同じ位置、および各上縦折れ線３２ａ、３２ｂの外脇には、上縦折れ線３２ａ、３２ｂとほぼ平行に延びる先窄まりの細長い差込片３２ｄが連設されている。
同様に、下仕切り板３３の下縁において、第二の実施形態の突出部２３ｄとほぼ同じ位置、および一方組における外側下縦折れ線３３ａを除く３つの下縦折れ線３３ａ、３２ｂの外側には、差込片３２ｄと相似形の差込片３３ｄが連設されている。
【００３８】
図８から図１０に示すように、中仕切り３０を、第二の実施形態と天地を逆にした状態(切れ込み３２ｃ、３３ｃが上を向き、差込片３２ｄ、３３ｄが下を向いた状態)で、横折れ線３１および上下縦折れ線３２ａ、３２ｂ、３３ａ、３３ｂを折り曲げて組み立てる。
そして、図１１のように、第二の実施形態と同様の箱Ｂに、間口方向５列で奥行き方向２列にスプレー缶Ｃを詰めた後、この中仕切り３０を差し入れていく。
このとき、図１１のように、差込片３２ｄ、３３ｄは、小部屋α、βの各長辺のほぼ中央から各１つ延びており、各短辺の一側寄りから各１つ延びているため、隣り合うスプレー缶Ｃ同士の接点およびスプレー缶Ｃと箱Ｂ壁面との接点と干渉することなく、隣り合うスプレー缶Ｃの間およびスプレー缶Ｃと箱Ｂとの間に生じる隙間に差し込まれていく。
ここで、差込片３２ｄ、３３ｄは、先端に向かい窄まっており、その少なくとも一側は差し込み方向に対し傾斜しているため、ひっかかりが非常に少なく、スムーズにこの隙間の奥、すなわち箱Ｂの底部へと差し込まれてゆく。
これに伴って、図１２のように、差込片３２ｄ、３３ｄが連設された上下仕切り板３２、３３も、箱Ｂの奥までスムーズに差し込まれて、スプレー缶Ｃを小分けすることとなる。
このように、差込片３２ｄ、３３ｄがあることにより、先に箱Ｂにスプレー缶Ｃを収納して、後から中仕切り３０を差し込んで小分けするのが非常に容易となっている。
【００３９】
また、図１１および図１２のように、組み立て状態において並列して対向する切れ込み３２ｃ、３３ｃ間に、箱Ｂの間口と同じ長さの仕切り片３４をその上方から掛け渡し、差し込むことにより、小部屋α、βを奥行き方向にさらに２等分することができる。
このとき、図１２のように、仕切り片３４の下縁には、切り欠き部３４ａが設けられており、この切り欠き部３４ａは、一側から小部屋α、βの短辺の長さのほぼ二分の一の間隔をおいて１つ目が、さらに短辺の長さとほぼ同じ間隔をそれぞれおいて、２つ目、３つ目、４つ目、５つ目が配置されている。
そのため、仕切り片３４を箱Ｂ内に差し込む際には、切り欠き部３４ａの位置が、隣接するスプレー缶Ｃの間口方向に並ぶ５つの接点に合致するようになっている。
よって、ほとんど差し込む隙間のないスプレー缶Ｃの接点が切り欠き部３４ａで避けられるため、仕切り片３４とスプレー缶Ｃとの干渉が抑制され、スムーズに差し込むことが可能となる。
特に、図示のように、切り欠き部３４ａの片方外縁は、差し込み方向に対し傾斜しているため、差し込み途中における引っ掛かりを抑制し、一層差し込みやすくなっている。
【００４０】
上記各実施形態では、小部屋α、βの長辺と短辺との比率を２対１としたが、これに限定されず、例えば、対の上下縦折れ線１２ａ、１２ｂ、１３ａ、１３ｂ、２２ａ、２２ｂ、２３ａ、２３ｂ、３２ａ、３２ｂ、３３ａ、３３ｂ間の距離と、隣接する上縦折れ線１２ａ、１２ｂ、２２ａ、２２ｂ、３２ａ、３２ｂと下縦折れ線１３ａ、１３ｂ、２３ａ、２３ｂ、３３ａ、３３ｂとの間の距離との比が３対１となるように寸法を調節すると、小部屋α、βの長辺と短辺との比を３対１とできる。
これと同様に、小部屋α、βの長辺と短辺との比を自由に調節することができるため、小部屋α、βの形状の自由度は非常に高いものとなっている。
【００４１】
また、実施形態では、小部屋α、βをすべて同じ大きさとしたが、適宜寸法を調節することで、小部屋α、βの大きさを違えることも勿論できる。
例えば、第二の実施形態において、右組における隣接する上縦折れ線２２ａ、２２ｂと下縦折れ線２３ａ、２３ｂとの間の距離と、左組における隣接する上縦折れ線２２ａ、２２ｂと下縦折れ線２３ａ、２３ｂとの間の距離との比を２対１とすると、長辺が同じで短辺の比が２対１の小部屋αを形成することができる。
【００４２】
また、第一の実施形態では、小部屋α、βを箱Ｂの間口方向に３つ並列させ、第二、第三の実施形態では、小部屋α、βを箱Ｂの間口方向に５つ並列させたが、小部屋α、βの並列の個数は無論これらに限定されることはない。
すなわち、第二の実施形態の例でいえば、対の上縦折れ線２２ａ、２２ｂと対の下縦折れ線２３ａ、２３ｂとからなる組を２組としたが、組をｎ個(ｎは３以上の自然数)に増やし 、横折れ線２１を境に、これら各組が交互に上下反転させた状態で並列させて中仕切り２０を形成し、組み立てるとする。
すると、四方を仕切り板２２、２３に囲まれた小部屋αがｎ個、箱Ｂの壁面と仕切り板２２、２３および小部屋αの長辺板面により区画される小部屋βは、両隅ともに小部屋βが形成されている場合にはｎ+１個の、合計２ｎ+１個の小部屋α、βが箱Ｂの間口方向に形成される。
このようにして、各一対の上下縦折れ線２２ａ、２２ｂ、２３ａ、２３ｂ組の数を適宜増やすことで、小部屋α、βの数を適宜変更可能である。
【００４３】
また、第二の実施形態および第三の実施形態では、それぞれ一枚の仕切り片２４、３４で、小部屋α、βを箱Ｂの奥行き方向に二等分しているが、仕切り片２４、３４や切れ込み２２ｅ、２３ｅ、３２ｃ、３３ｃの数を適宜調整することで、小部屋α、βを箱Ｂの奥行き方向に３等分以上に等分することも可能である。
【００４４】
また、差込片３２ｄ、３３ｄの数は、第三の実施形態に限定されることはなく、箱Ｂに詰められたスプレー缶Ｃの数に応じて適宜変更可能である。
例えば、スプレー缶Ｃが箱Ｂの奥行き方向にｍ列並んでいる場合には、小部屋α、βの長辺上には、スプレー缶Ｃの接点を避ける位置にｍ−１個の差込片を設けるとよい。
【００４５】
仕切り片３４の切り欠き部３４ａの数についても、実施形態に限定されず、例えば、スプレー缶Ｃが箱Ｂの間口方向にｎ列並んでいる場合には、これにより形成されるｎ個の接点に合致する位置にｎ個の切り欠き部３４ａを設ければよい。
【００４６】
また、差込片３２ｄ、３３ｄの形状および切り欠き部３４ａの形状は、実施形態に限定されず、発明の効果を発揮できる範囲で変更可能である。
すなわち、差込片３２ｄ、３３ｄの場合であれば、先端に向かって概略窄まっておれば、隙間への差込が容易となるため、外縁が波型をなすなどしていてもよく、細部の形状は特に限定されない。
切り欠き部３４ａも、スプレー缶Ｃとの干渉を避けることができればよいため、半円状の切り欠きなどから形成してもよい。
【００４７】
また、上記各実施形態では、中仕切り１０、２０、３０を段ボール製としたが、これに限られず、厚紙製、プラスチック段ボール製など、シート材であればなんでもよい。
【００４８】
なお、箱Ｂの収納物は、スプレー缶Ｃ以外の缶製品など他の収納物でも構わないことは無論である。
【図面の簡単な説明】
【００４９】
【図１】第一の実施形態の中仕切りの展開図
【図２】第一の実施形態の中仕切りの組み立て途中図
【図３】第一の実施形態の中仕切りの組み立て完成図
【図４】第二の実施形態の中仕切りの展開図
【図５】第二の実施形態の中仕切りの組み立て途中第一図
【図６】第二の実施形態の中仕切りの組み立て途中第二図
【図７】第二の実施形態の中仕切りの組み立て完成図
【図８】第三の実施形態の中仕切りの展開図
【図９】第三の実施形態の中仕切りの組み立て途中第一図
【図１０】第三の実施形態の中仕切りの組み立て途中第二図
【図１１】第三の実施形態の中仕切りの組み立て途中第三図
【図１２】第三の実施形態の中仕切りの組み立て完成図
【符号の説明】
【００５０】
１０  第一の実施形態の中仕切り
１１  横折れ線
１１ａ  切れ込み
１２  上仕切り板
１２ａ  外側上縦折れ線
１２ｂ  内側上縦折れ線
１２ｃ  半円孔
１３  下仕切り板
１３ａ  外側下縦折れ線
１３ｂ  内側下縦折れ線
１３ｃ  半円孔
２０  第二の実施形態の中仕切り
２１  横折れ線
２１ａ  切れ込み
２２  上仕切り板
２２ａ  外側上縦折れ線
２２ｂ  内側上縦折れ線
２２ｃ  半円孔
２２ｄ  突出部
２２ｅ  切れ込み
２３  下仕切り板
２３ａ  外側下縦折れ線
２３ｂ  内側下縦折れ線
２３ｃ  半円孔
２３ｄ  突出部
２３ｅ  切れ込み
２４  仕切り片
２４ａ  切れ込み
３０  第三の実施形態の中仕切り
３１  横折れ線
３１ａ  切れ込み
３２  上仕切り板
３２ａ  外側上縦折れ線
３２ｂ  内側上縦折れ線
３２ｃ  切れ込み
３２ｄ  差込片
３３  下仕切り板
３３ａ  外側下縦折れ線
３３ｂ  内側下縦折れ線
３３ｃ  切れ込み
３３ｄ  差込片
３４  仕切り片
３４ａ  切り欠き部
Ｂ  箱
Ｃ  スプレー缶
α、β  小部屋
【図１】
2008114906.tif 000003
【図２】
2008114906.tif 000004
【図３】
2008114906.tif 000005
【図４】
2008114906.tif 000006
【図５】
2008114906.tif 000007
【図６】
2008114906.tif 000008
【図７】
2008114906.tif 000009
【図８】
2008114906.tif 000010
【図９】
2008114906.tif 000011
【図１０】
2008114906.tif 000012
【図１１】
2008114906.tif 000013
【図１２】
2008114906.tif 000014